(57)【要約】【課題】従来より清掃作業を容易に行うことが可能な電界浄化装置及びワーク乾燥システムを提供する。【解決手段】本発明の電界浄化装置２０は、ヤニ成分含有エアーが通過する断面略円形のダクト３０と、その中心部に沿って延びる中心電極６３との間に電界を発生させてヤニ成分をダクト３０の内面に集める。そのダクト３０は、水平方向に対して平行方向に延び、下部にスリット状のヤニ排出孔３１Ｓを備えている。そして、ヤニ排出孔３１Ｓに下方にヤニ回収ハウジング３６が設けられ、その内部に備えたトレイ６０にヤニが溜まるようになっている。【選択図】図２
2019181321.tif 000002
【特許請求の範囲】
【請求項１】
ヤニ成分含有エアーが通過する断面略円形のダクトと、その中心部に沿って延びる中心電極との間に電界を発生させてヤニ成分を前記ダクトの内面に集める電界浄化装置であって、
前記ダクトは、水平方向に対して平行又は傾斜する方向に延び、
前記ダクトの下部を内外に貫通し、前記ヤニ成分が凝集してなるヤニを排出するヤニ排出孔と、
前記ヤニ排出孔に下方から臨むヤニ回収部屋を内側に有すると共に、蓋体にて開閉される開口を有するか、又は、前記ダクトに着脱可能に取り付けられるヤニ回収ハウジングと、を備える電界浄化装置。
【請求項２】
前記ヤニ排出孔は、前記ダクトの軸方向に延びるスリット構造をなしている請求項１に記載の電界浄化装置。
【請求項３】
前記ダクトは、水平に延び、
前記ヤニ回収ハウジングは、前記ダクトの軸方向に延びて、内部に細長いトレイを収容し、前記ヤニ回収ハウジングの一側面には、前記トレイを出し入れするための横長の前記開口と、前記開口を閉塞する横長の前記蓋体と、が備えられている請求項１又は２に記載の電界浄化装置。
【請求項４】
前記ダクトは、その中心軸を含む分割面で上下に分割可能になっている請求項１乃至３の何れか１の請求項に記載の電界浄化装置。
【請求項５】
前記ダクトから内側に複数の円板が張り出している請求項４に記載の電界浄化装置。
【請求項６】
前記複数の円板は、前記ダクトと別体をなしかつ連結部材により連結されているリング集合体になっている請求項５に記載の電界浄化装置。
【請求項７】
前記リング集合体は、その中心軸を含む分割面で分割可能になっている請求項６に記載の電界浄化装置。
【請求項８】
前記ダクトの両端部に配置され、前記中心電極を支持する１対の電極支持部を備える請求項１乃至７の何れか１の請求項に記載の電界浄化装置。
【請求項９】
塗装されたワークを乾燥させるブースと、
前記ブース内のヤニ成分含有エアーを吸引して加熱して前記ブースに戻す加熱循環路と、
前記加熱循環路の途中に接続される請求項１乃至８の何れか１の請求項に記載の電界浄化装置と、を備えるワーク乾燥システム。
【請求項１０】
塗装されたワークを乾燥させるブースと、
前記ブース内のエアーを大気に放出する排気経路の途中に接続される請求項１乃至８の何れか１の請求項に記載の電界浄化装置と、を備えるワーク乾燥システム。
【発明の詳細な説明】
【技術分野】
【０００１】
本発明は、ヤニ成分含有エアーからヤニ成分を集める電界浄化装置及び、その電界浄化装置を有するワーク乾燥システムに関する。
【背景技術】
【０００２】
従来、この種の電界浄化装置として、上下方向に延びるダクトの中心部に電極が垂下し、ヤニ成分含有エアーがダクトを通過する間にヤニ成分をダクトの内面に集めるものが知られている（例えば、特許文献１参照）。
【先行技術文献】
【特許文献】
【０００３】
【特許文献１】特開２０１７−２１７６２５号公報（図３）
【発明の概要】
【発明が解決しようとする課題】
【０００４】
上記した従来の電界浄化装置は、従前のフィルター式エアー浄化装置に対する清掃作業の容易化を図ったものであるが、さらなる清掃作業の容易化が求められている。
【０００５】
本発明は、上記事情に鑑みてなされたもので、従来より清掃作業を容易に行うことが可能な電界浄化装置及びワーク乾燥システムの提供を目的とする。
【課題を解決するための手段】
【０００６】
上記目的を達成するためになされた請求項１の発明は、ヤニ成分含有エアーが通過する断面略円形のダクトと、その中心部に沿って延びる中心電極との間に電界を発生させてヤニ成分を前記ダクトの内面に集める電界浄化装置であって、前記ダクトは、水平方向に対して平行又は傾斜する方向に延び、前記ダクトの下部を内外に貫通し、前記ヤニ成分が凝集してなるヤニを排出するヤニ排出孔と、前記ヤニ排出孔に下方から臨むヤニ回収部屋を内側に有すると共に、蓋体にて開閉される開口を有するか、又は、前記ダクトに着脱可能に取り付けられるヤニ回収ハウジングと、を備える電界浄化装置である。
【０００７】
請求項２の発明は、前記ヤニ排出孔は、前記ダクトの軸方向に延びるスリット構造をなしている請求項１に記載の電界浄化装置である。
【０００８】
請求項３の発明は、前記ダクトは、水平に延び、前記ヤニ回収ハウジングは、前記ダクトの軸方向に延びて、内部に細長いトレイを収容し、前記ヤニ回収ハウジングの一側面には、前記トレイを出し入れするための横長の前記開口と、前記開口を閉塞する横長の前記蓋体と、が備えられている請求項１又は２に記載の電界浄化装置である。
【０００９】
請求項４の発明は、前記ダクトは、その中心軸を含む分割面で上下に分割可能になっている請求項１乃至３の何れか１の請求項に記載の電界浄化装置である。
【００１０】
請求項５の発明は、前記ダクトから内側に複数の円板が張り出している請求項４に記載の電界浄化装置である。
【００１１】
請求項６の発明は、前記複数の円板は、前記ダクトと別体をなしかつ連結部材により連結されているリング集合体になっている請求項５に記載の電界浄化装置である。
【００１２】
請求項７の発明は、前記リング集合体は、その中心軸を含む分割面で分割可能になっている請求項６に記載の電界浄化装置である。
【００１３】
請求項８の発明は、前記ダクトの両端部に配置され、前記中心電極を支持する１対の電極支持部を備える請求項１乃至７の何れか１の請求項に記載の電界浄化装置である。
【００１４】
請求項９の発明は、塗装されたワークを乾燥させるブースと、前記ブース内のヤニ成分含有エアーを吸引して加熱して前記ブースに戻す加熱循環路と、前記加熱循環路の途中に接続される請求項１乃至８の何れか１の請求項に記載の電界浄化装置と、を備えるワーク乾燥システムである。
【００１５】
請求項１０の発明は、塗装されたワークを乾燥させるブースと、前記ブース内のエアーを大気に放出する排気経路の途中に接続される請求項１乃至８の何れか１の請求項に記載の電界浄化装置と、を備えるワーク乾燥システムである。
【発明の効果】
【００１６】
請求項１の電界浄化装置では、ダクトが水平方向又斜め水平方向に延びているので、ダクトが上下方向に延びた従来のものに比べて、清掃時の上下方向への移動が少なくて済み、清掃作業が容易になる。また、ヤニ成分が凝集してなるヤニが、ダクトの周方向又は斜め周方向に移動してダクトの下端部に集まるので、従来のようにヤニがダクトの軸方向に移動して集められるものに比べてヤニの移動距離が短くなり、ヤニの回収が容易になる。そして、ダクトの下端部のヤニ排出孔からダクト外のヤニ回収ハウジングへとヤニが排出される。そこで、そのヤニ回収ハウジングをダクトから取り外すか、ヤニ回収ハウジングの開口を開いて、ヤニの清掃作業を行うことができるので、電界浄化装置全体を分解せずに容易に清掃作業を行うことができる。
【００１７】
ヤニ排出孔は、ダクトの長手方向に複数並べて形成されていてもよいし、請求項２の発明のように、ダクトの軸方向に延びるスリット構造をなしていてもよい。ヤニ排出スリットをスリット構造にすれば、ヤニを効率良くダクト外に排出することができる。
【００１８】
請求項３の構成によれば、ヤニ回収ハウジング内のトレイにヤニが収容されるので、そのトレイを取り出して容易に清掃を行うことができる。
【００１９】
請求項４の構成では、ダクトが上下に分割可能になっているので、ダクトの内部の清掃も容易に行うことができる。
【００２０】
請求項５の電界浄化装置では、ダクトの内側に複数の円板が張り出しているので、ヤニ成分の回収効率が向上する。また、請求項６の電界浄化装置では、複数の円板がダクトと別体になっていると共に、連結部材により連結されているリング集合体になっているので、清掃作業及び分解作業を共に容易に行うことができる。さらには、請求項７の構成のようにリング集合体も分割される構成とすれば、分解及び組み付み立て作業がさらに容易になる。
【００２１】
中心電極は、片持ち構造にしてもよいが、請求項８の電界浄化装置のように、ダクトの両端部に１対の電極支持部を備えて両持ち構造とすれば、ダクトを長くしても中心電極がダクトの中心部で安定する。これにより、電界が安定し、ヤニ成分の回収効率が安定する。
【００２２】
請求項９及び１０のワーク乾燥システムは、上記した本発明に係る電界浄化装置を備えているので清掃作業が容易になり、これにより清掃時間を短くして、稼働率を上げることができる。また、電界浄化装置のダクトが、水平方向又は斜め水平方向に延びているので、天井が高くない屋内にも設置することができる。
【図面の簡単な説明】
【００２３】
【図１】本発明の一実施形態に係るワーク乾燥システムの概念図
【図２】電界浄化装置の正断面図
【図３】電界浄化装置の平断面図
【図４】電界浄化装置の分解斜視図
【図５】支持ボックスの側面図
【図６】ダクトの分解斜視図
【図７】リング集合体の斜視図
【図８】半円体の斜視図
【図９】下側溝体と分割体の斜視図
【発明を実施するための形態】
【００２４】
以下、本発明の一実施形態を図１〜図９に基づいて説明する。図１に示したワーク乾燥システム１０は、図示しない塗装ブースから延長されるブース９０を有し、そのブース内に昇温ゾーン１１と保持ゾーン１２とを連ねて備える。そして、塗装されたワークＷが昇温ゾーン１１内で所定温度まで昇温されてから保持ゾーン１２内でさらに加熱されて塗料がワークＷに固定される。
【００２５】
ワーク乾燥システム１０には、昇温ゾーン１１及び保持ゾーン１２にそれぞれ別個に加熱循環路１１Ａ，１２Ａが設けられている。加熱循環路１１Ａ，１２Ａは、共にヒーター１１Ｃ，１２Ｃとファン１１Ｂ，１２Ｂとを有し、昇温ゾーン１１又は保持ゾーン１２内のエアーを吸引して大気と混合して加熱し、昇温ゾーン１１又は保持ゾーン１２に戻す。そして、保持ゾーン１２の加熱循環路１２Ａのうちヒーター１２Ｃ及びファン１２Ｂより上流側に電界浄化装置２０が設けられて、保持ゾーン１２内で発生するＶＯＣ（揮発性有機化合物）等のヤニ成分が除去される。
【００２６】
なお、昇温ゾーン１１内では、保持ゾーン１２内に比べてヤニ成分の発生が少なくいので、昇温ゾーン１１の加熱循環路１１Ａには、電界浄化装置２０の代わりに従前通りのフィルター１１Ｆが備えられている。また、昇温ゾーン１１及び保持ゾーン１２を有するブース９０内のエアーの一部は、公知なエアー浄化装置１３を経て大気に放出される。
【００２７】
図２に示すように、電界浄化装置２０は、左右対称に配置された１対の支持ボックス２１，２１の間に１対のダクト３０，３０を連ねて備える。図４に示すように、支持ボックス２１は、直方体状の箱体の前後の両角部を面取りした形状をなし、前面壁２１Ｆ及び後面壁２１Ｒにおける下側の略１／３程度が下方に向かうに従って互いに接近するように傾斜した傾斜部２１Ｓ，２１Ｓになっている。また、各支持ボックス２１の上面からは、角筒状のダクト接続部２２が突出している。そして、一方の支持ボックス２１のダクト接続部２２に保持ゾーン１２の排気口に接続されると共に、他方の支持ボックス２１のダクト接続部２２がヒーター１２Ｃに接続されている。
【００２８】
各支持ボックス２１の一方の側壁２１Ａ（以下、「第１側壁２１Ａ」という）には、円形の側面開口２１Ｃが形成されている。また、各前面壁２１Ｆのうち各傾斜部２１Ｓより上側部分には、矩形の前面開口２１Ｅが形成され、さらには、図５に示すように、各支持ボックス２１の他方の側壁２１Ｂ（以下、「第２側壁２１Ｂ」という）にも矩形の側面開口２１Ｄが形成されている。また、それら側面開口２１Ｃ，２１Ｄ及び前面開口２１Ｅの開口縁には複数の貫通孔２１Ｋが形成されると共に（一部図示せず）、それら貫通孔２１Ｋに重ねて各支持ボックス２１の内面にナットがそれぞれ溶接されている。
【００２９】
図５に示すように、第２側壁２１Ｂには、側面開口２１Ｄを閉塞した状態に板状の蓋体２８が重ねられてボルトにて固定されている。それと同様に、図４に示すように、各前面壁２１Ｆにも前面開口２１Ｅを閉塞した状態に板状の蓋体２９が重ねられてボルトにて固定されている。
【００３０】
図２に示すように、第１側壁２１Ａの側面開口２１Ｃの開口縁には連結ダクト２３が取り付けられる。図４に示すように、連結ダクト２３は、扁平な円筒壁２３Ｈの両端部から側方に１対のフランジ２３Ｆ，２３Ｆが張り出した構造をなしている。また、各フランジ２３Ｆには、側面開口２１Ｃの周りの貫通孔２１Ｋに合わせて複数の貫通孔２３Ｋが形成されている。そして、一方のフランジ２３Ｆが側面開口２１Ｃの開口縁にボルトにて固定されている。
【００３１】
連結ダクト２３には、円筒壁２３Ｈから上方に張り出す筐体部２４が備えられている。筐体部２４の上端部は閉塞され、下端部は円筒壁２３Ｈ内に連通している。そして、上下方向に延びる電極支持バー２５の上端部が筐体部２４内に固定され、電極支持バー２５の下端部が連結ダクト２３の円筒部分の中心部に配置されている。
【００３２】
電極支持バー２５の下端部には、円筒壁２３Ｈの中心軸の同軸上に貫通孔２６が形成されている。また、図５に示すように、支持ボックス２１の第２側壁２１Ｂの蓋体２８にも円筒壁２３Ｈの中心軸上に貫通孔２６が形成されている。そして、それら両貫通孔２６，２６に例えば、セラミックス製の絶縁パイプ２７が貫通して、図２に示すように、電極支持バー２５と蓋体２８との間に絶縁パイプ２７が差し渡されている。また、蓋体２８には、絶縁パイプ２７を保持するパイプホルダ２８Ｈが固定されていて、そのパイプホルダ２８Ｈにより絶縁パイプ２７の軸方向の移動が規制されている。そして、この絶縁パイプ２７により、後述する中心電極６３を支持する電極支持部２７Ｋが構成されている。
【００３３】
図４に示すように、ダクト３０は、水平方向に延びる円筒壁３１と、その円筒壁３１の外面下部に固定されたヤニ回収ハウジング３６とを有する。円筒壁３１は、その中心軸を含む水平断面で上側溝体３２と下側溝体３３とに分割されている。
【００３４】
上側溝体３２及び下側溝体３３（以下、これらをまとめて「上下の溝体３２，３３」という）のうち円筒壁３１の水平切断部分に相当する接合部からは、それぞれ１つずつの接合突片３４，３４が両側方に張り出している。接合突片３４には、図示しない複数の貫通孔が形成されている。また、下側溝体３３の接合突片３４の下面には、貫通孔に重ねてナットが溶接されている。
【００３５】
円筒壁３１の両端部には、内側に張り出す円環状の内向フランジ３５が備えられている。それら内向フランジ３５は、半円状の円弧フランジ３５Ａ，３５Ａに上下に２分割されて上下の溝体３２，３３の両端部に溶接されている。また、内向フランジ３５には、連結ダクト２３のフランジ２３Ｆの複数の貫通孔２３Ｋに対応した複数の貫通孔３５Ｋが形成されている。さらに、円筒壁３１の一端の内向フランジ３５のみの内面に、貫通孔３５Ｋに重ねてナットが溶接されている。そして、上側溝体３２，３２同士及び下側溝体３３，３３同士が、ナットを有しない側の円弧フランジ３５Ａ，３５Ａを重ねられて、ボルトとナットにて固定されてから、上側溝体３２，３２及び下側溝体３３，３３の接合突片３４，３４同士が上下に重ねられてボルトにて固定され、ダクト３０，３０が直列状態に連結される。その状態で両ダクト３０，３０のナットを有する側の円弧フランジ３５Ａ，３５Ａにそれぞれ連結ダクト２３のフランジ２３Ｆが重ねられてボルトにて固定される。
【００３６】
図６に示すように、ヤニ回収ハウジング３６は、円筒壁３１の長手方向に延びかつ両端部を閉塞された角溝形状をなし、上面開口が円筒壁３１にて閉塞された状態に溶接されている。また、図３に示すように、ヤニ回収ハウジング３６は、円筒壁３１より僅かに短く、ヤニ回収ハウジング３６の両端部は、円筒壁３１の両端寄り位置に配置されている。さらに、円筒壁３１の最下端部には、一端寄り位置から他端寄り位置に亘ってスリット状のヤニ排出孔３１Ｓが形成され、そのヤニ排出孔３１Ｓを介して円筒壁３１内とヤニ回収ハウジング３６内とが連通している。
【００３７】
また、図３に示すように、ヤニ回収ハウジング３６の下面から円筒壁３１の中心までの距離と、各支持ボックス２１の下面から側面開口２１Ｃの中心までの距離とは同じになっている。そして、図２に示すように、各支持ボックス２１とダクト３０，３０とが同じ床面上に載置されている。また、図６に示すように、ヤニ回収ハウジング３６のうち長手方向に延びる一側面には、外縁部を除く全体に開口３７が形成されている。さらに、開口３７の開口縁には、複数の螺子孔３６Ｎが形成されている。そして、ヤニ排出孔３１Ｓと略同一の長さの溝形のトレイ６０がヤニ回収ハウジング３６内のヤニ回収部屋３６Ｓに収容され、帯板状の蓋体３９が開口３７が閉塞した状態にボルトにて固定されている。
【００３８】
各ダクト３０の内部には、図７に示したリング集合体４０が収容されている。リング集合体４０全体は、ダクト３０に丁度収まる円筒状の桟構造をなしている。具体的には、リング集合体４０には、長手方向に等間隔に並ぶ複数のリング４１と、それらリング４１，４１の間を連絡する複数の連結ロッド４４とを備えてなる。リング４１は、扁平な円筒部４２と、その円筒部４２の一端から側方に張り出す環状の円板部４３とを備えてなり、円板部４３に複数の貫通孔４３Ａが形成されている。また、図８に示すように、連結ロッド４４は、円柱状の本端部４４Ａを有し、その一端面から本端部４４Ａより外径が小さい雄螺子部４４Ｂが突出し、本端部４４Ａの他端部には、他端面に開口する雌螺子孔（図示せず）が形成されている。そして、リング４１の円板部４３の貫通孔４３Ａを介して連結ロッド４４，４４同士が螺合され、それら連結ロッド４４，４４に貫通孔４３Ａの開口縁が挟まれている。また、リング集合体４０の一端のリング４１の貫通孔４３Ａには図示しないボルトが通されて連結ロッド４４の雌螺子孔に螺合される一方、他端の連結ロッド４４の雄螺子部４４Ｂには、ナットＮ（図７参照）が螺合されている。このようにしてリング４１が連結ロッド４４によって連結されてリング集合体４０が構成されている。
【００３９】
リング集合体４０は、各リング４１の円板部４３が円筒部４２より下流側に位置するようにダクト３０に収容されている。また、図４に示すように、リング集合体４０は、その両端部が円筒壁３１の内向フランジ３５，３５に隣接することで、円筒壁３１の軸方向で位置決めされている。
【００４０】
図６に示すように、連結ロッド４４は、ダクト３０の円筒壁３１と同様に、中心軸を含む水平断面で１対の分割体４５，４５に２分割されている。即ち、リング集合体４０を構成する複数のリング４１は、図８に示すように、１対の半円体５０，５０に上下に２分割され、図６に示すように、複数の半円体５０が連結ロッド４４にて連結されて分割体４５，４５を構成している。また、図８に示すように、各半円体５０の両端部には、円筒部４２と円板部４３とに跨って端部プレート４６が溶接されている。端部プレート４６は、正方形の板状をなし、その隣り合う２辺の一方が円筒部４２の先端縁に溶接される一方、他方が円板部４３の先端縁に溶接されている。そして、各半円体５０の先端面が１対の端部プレート４６，４６によって形成され、図１に示すように、下側の分割体４５の端部プレート４６に対し、上側の分割体４５の端部プレート４６が重ね合わされた状態になっている。また、各分割体４５が上側溝体３２と下側溝体３３との丁度収まる(図９参照）。
【００４１】
図２に示すように、１対の絶縁パイプ２７，２７には、金属ワイヤー６２が挿通されてテンションをかけられ、ダクト３０の中心に延びる中心電極６３が形成されている。具体的には、金属ワイヤー６２の両端部が一方の絶縁パイプ２７と他方の絶縁パイプ２７から延びた状態でその一端部に抜け止め用のクランプ（図示せず）が固定される一方、他端部がコイルバネ等によって引っ張られている。そして、中心電極６３（金属ワイヤー６２）は、電界浄化装置２０を支持する架台又は地面から絶縁される一方、ダクト３０及びリング集合体４０が架台又は地面をアースとして接続され、中心電極６３とアースとの間に、直流電圧が印加されている。これにより、中心電極６３とダクト３０との間に電界が生成される。
【００４２】
本実施形態のワーク乾燥システム１０及び電界浄化装置２０の構成に関する説明は以上である。次ぎに、ワーク乾燥システム１０及び電界浄化装置２０の作用効果について説明する。
【００４３】
ワーク乾燥システム１０の稼働中は、保持ゾーン１２からヤニ成分含有エアーが電界浄化装置２０に送給されてくる。そして、ヤニ成分含有エアーがダクト３０を通過するときに、ヤニ成分の粒子が、ダクト３０内の電界によるクーロン力によりダクト３０の内面側に引き寄せられてリング集合体４０の隙間に集められる。詳細には、リング集合体４０は、複数のリング４１からなり、それらリング４１に備えた円板部４３がダクト３０の内面から突出しているので、ダクト３０の内面側に引き寄せられたヤニ成分が効率よく円板部４３に付着する。しかも、円板部４３の内縁部から上流側に円筒部４２が突出しているので、円筒部４２より外側に入り込んだヤニ成分が風圧の影響を受け難く、吹き飛ばされることが防がれる。そして、ダクト３０の内面及びリング集合体４０に付着したヤニ成分が集まってヤニとなり、重力によって流下する。その際、ヤニは、ダクト３０の周方向に移動してダクト３０の下端部に集まるので、従来のようにヤニがダクトの軸方向に移動して集められるものに比べてヤニの移動距離が短くなり、ヤニの回収が容易になる。そして、ヤニ排出孔３１Ｓを通ってヤニ回収ハウジング３６内のトレイ６０に溜まっていく。そこで、所定量のヤニがトレイ６０に溜まったら、ワーク乾燥システム１０が停止している間に、ヤニ回収ハウジング３６から蓋体３９をはずして開口３７を開き、トレイ６０を取り出して新しいトレイ６０と交換すればよい。そして、トレイ６０だけを清掃すれば、電界浄化装置２０全体を分解することなく、また、ワーク乾燥システム１０を長期間に亘って停止することなしに、ヤニの清掃を容易に行うことができる。
【００４４】
また、ワーク乾燥システム１０全体のメンテナンスする際には、ダクト３０を上側溝体３２と下側溝体３３とに分割し、さらにリング集合体４０を取り出せば、ダクト３０内及びリング集合体４０を容易に清掃することができる。しかも、リング集合体４０は、分割体４５，４５に２分割されているので、ダクト３０への出し入れを容易に行うことができる。さらに、リング集合体４０を複数のリング４１に分割して清掃することも可能である。また、ダクト３０は、水平方向に延びているので、ダクトが上下方向に延びた従来のものに比べて、清掃時に上下方向への移動が少なくて済む。
【００４５】
このように本実施形態の電界浄化装置２０では、清掃作業を容易に行うことができる。これにより、清掃の作業時間が短くなり、ワーク乾燥システム１０の稼働率を上げることができる。また、ダクト３０が、水平方向に延びているので、天井が高くない屋内にも設置することができる。さらには、ダクト３０の両端部に備えた１対の電極支持部２７Ｋ，２７Ｋにより中心電極６３が両持ち状態に支持されているので、ダクト３０を長くしても中心電極６３がダクト３０の中心部で安定する。これにより、電界も安定し、ヤニ成分の回収効率も安定する。
【００４６】
［他の実施形態］
前記実施形態以外にも以下に例示する構成が考えられる。
【００４７】
（１）前記実施形態の電界浄化装置２０では、ダクト３０が水平方向に延びていたが、例えば、水平方向に対して４５度以下の角度でダクト３０を傾斜させてもよい。
【００４８】
（２）前記実施形態の電界浄化装置２０では、中心電極６３が両持ち状態に支持されていたが、片持ち状態に支持されていてもよい。
【００４９】
（３）前記実施形態の電界浄化装置２０では、ダクト３０の下部にスリット状のヤニ排出孔３１Ｓが連続して延びていたが分断されていてもよい。また、ヤニ排出孔３１Ｓが丸孔形状をなしてダクト３０の下端部に列をなして形成されていてもよい。
【００５０】
（４）前記実施形態の電界浄化装置２０のヤニ回収ハウジング３６には、トレイ６０が収容されていたが、トレイ６０が収容されていなくて、ヤニ回収ハウジング３６に形成された排出孔から外の用意された容器にヤニが排出される構成としてもよい。
【００５１】
（５）前記実施形態のワーク乾燥システム１０では、保持ゾーン１２の加熱循環路１２Ａの途中のみに電界浄化装置２０が備えられていたが、昇温ゾーン１１の加熱循環路１１Ａの途中に電界浄化装置２０を備えてもよい。また、ブース９０内のエアーの一部を大気に放出する排気路に電界浄化装置２０を設けてもよい。具体的には、ブース９０内のエアーの一部を大気に放出させる排気路のうち前述の公知なエアー浄化装置１３（図１参照）の手前に電界浄化装置２０を設けるか、エアー浄化装置１３の代わりに電界浄化装置２０を備えてもよい。また、保持ゾーン１２の後工程に設けられる冷却ゾーン９１のエアーを大気に放出させる排気路に電界浄化装置２０を備えてもよい。
【符号の説明】
【００５２】
１０    ワーク乾燥システム
１１    昇温ゾーン
１１Ａ，１２Ａ    加熱循環路
１２    保持ゾーン
２０    電界浄化装置
２７Ｋ    電極支持部
３０    ダクト
３１Ｓ  ヤニ排出孔
３６    ヤニ回収ハウジング
３７    開口
３９    蓋体
４０    リング集合体
４１    リング
４３    円板部
６０    トレイ
６３    中心電極
【図１】
2019181321.tif 000003
【図２】
2019181321.tif 000004
【図３】
2019181321.tif 000005
【図４】
2019181321.tif 000006
【図５】
2019181321.tif 000007
【図６】
2019181321.tif 000008
【図７】
2019181321.tif 000009
【図８】
2019181321.tif 000010
【図９】
2019181321.tif 000011